(57)【要約】      （修正有）【課題】内針の引抜き操作によって、内針を内針ハブ等に収容することができ、さらに針止部材の復元力を用いることなく、内針が挿通する貫通孔を遮断し、内針の外部への突出を防止できる穿刺具を提供する。【解決手段】内筒７及び外筒６は、貫通孔７３の連通状態を遮断する貫通孔遮断手段を備え、貫通孔遮断手段は、内筒７に形成された針止部７２Ｂと、針止部７２Ｂの外面を押圧する外筒６に形成された押圧部６５とからなり、内針３が針止部７２Ｂを通過して引き抜かれると共に、押圧部６５が針止部７２Ｂの外面を押圧することによって、針止部７２Ｂが貫通孔７３の連通状態を遮断し、内針が挿通しない状態になす。【選択図】図４
2015062537.tif 000002
【特許請求の範囲】
【請求項１】
外針と、前記外針の基端部を保持する外針ハブと、前記外針に先端部が挿入される内針と、前記内針の基端部を保持する筒状の注射具とを具備し、
前記注射具は、前記内針の基端部を保持する内針ハブと、前記外針ハブを把持する把持手段を有すると共に、前記内針ハブの内部に進退自在に取付けられた筒状体と具備し、
前記筒状体は、前記内針ハブの内部に進退自在に取り付けられる外筒と、前記外筒の内部に進退自在に取付けられた、内針が挿通する貫通孔を有する内筒とを備え、
更に、前記内筒及び前記外筒は、前記貫通孔の連通状態を遮断する貫通孔遮断手段を備え、
前記貫通孔遮断手段は、内筒に形成された針止部と、前記針止部の外面を押圧する外筒に形成された押圧部とからなり、
前記内針が前記針止部を通過して引き抜かれると共に、前記押圧部が前記針止部の外面を押圧することによって、前記針止部が貫通孔の連通状態を遮断し、内針が挿通しない状態になすことを特徴とする穿刺具。
【請求項２】
前記針止部は、前記内筒の軸部に一端部が連結された基体部と、前記基体部の先端部から突出して形成された閉塞部とを備え、前記内筒の軸部に形成された孔部内を回動可能に設けられ、
前記閉塞部は、前記基体部に前記押圧部からの力が加わらない状態では貫通孔内に突出しない位置にあり、基体部に押圧部から力が加わると、内筒の軸部内方向に回動し、前記閉塞部が貫通孔内に突出して、前記貫通孔を閉塞することを特徴とする請求項１に記載された穿刺具。
【請求項３】
前記針止部は、前記内筒の軸部に一端部が連結された基体部と、前記基体部の先端部から突出して形成され、後面部にテーパ面が形成された閉塞部を備え、前記内筒の軸部に形成された孔部内に回動可能に設けられ、
前記基体部に押圧部からの力が加わらない状態において、前記閉塞部は貫通孔内に突出し、前記貫通孔を閉塞した状態にあり、前記閉塞部の後面部に形成されたテーパ面から内針が挿入されることにより、前記閉塞部は拡開し、
更に、前記内針が前記針止部を通過して引き抜かれ、前記基体部に押圧部から力が加わると、前記貫通孔を閉塞することを特徴とする請求項１に記載された穿刺具。
【請求項４】
内針の挿通が遮断されると同時に内筒の把持手段が解除され、外針ハブが開放されることを特徴とする請求項１乃至請求項３のいずれかに記載された穿刺具。
【発明の詳細な説明】
【技術分野】
【０００１】
本発明は穿刺具に関し、特に外針（カテーテル）を血管に留置するための穿刺具に関する。
【背景技術】
【０００２】
従来から、外針（カテーテル）を血管に留置するための穿刺具には、抜き取られた使用済みの内針が、術者や患者あるいは廃棄作業者等に誤って刺さり怪我を負わせ、更には内針が刺さったことにより肝炎、各種伝染性疾患等に感染する虞があり、使用済みの内針に対する安全対策が求められている。
【０００３】
この安全対策として、例えば、特許文献１には、先端部に鋭利な針先を有する針体と、この針体の基端部に固定されたハブと、針体に対し相対的に移動可能に設置され、針体の針先を収納可能なプロテクタと、当接部材およびコイルバネ（移動手段）で構成されたシャッター作動手段と、このプロテクタの針体からの離脱を阻止するヒモ（離脱阻止手段）とを備えた穿刺具が提案されている。
この穿刺具は、圧縮されたコイルバネを開放することで、プロテクタ本体が摺動し、プロテクタ本体により、ハブに固定された針の先端を保護するようになされている。
【０００４】
しかしながら、この特許文献１に記載された穿刺具にあたっては、針の先端を保護するには、使用者（術者）が圧縮されたコイルバネを動作させる操作を行う必要があり、その操作を忘れると、血液の付着した針が露出することになり、安全性を確保できないという課題があった。
【０００５】
この課題を解決する穿刺具が、例えば、特許文献２、３において提案されている。
特許文献２、３に記載されている穿刺具は、外針と、外針を保持する外針ハブと、外針に先端部が挿入される内針と、内針の基端部を内部に保持する筒状の内針ハブとを備え、外針を血管に留置した後、内針を内針ハブ内部に収容し、収容した内針が内針ハブ内部から突出しないように構成されている。
具体的には、内針の内部通路を閉塞する弾性部材からなる針止部材が設けられ、内針が内針ハブ内部に収容された際、前記針止部材の復元力によって、内針の内部通路を閉塞し、内針ハブ内に収容された内針が、前記内針ハブから外部に突出しないようになされている。
【０００６】
このように、特許文献２、３に記載されている穿刺具にあっては、外針を血管に留置した後、使用者（術者）の外針からの内針の引抜き操作に関連して、内針を内針ハブ内部に収容し、収容した内針が内針ハブ内部から突出しないようなされるため、特許文献１に記載された穿刺具のように、使用者（術者）が操作を忘れたことによる針の露出を防止でき、安全性を確保することができる。
【先行技術文献】
【特許文献】
【０００７】
【特許文献１】特開２００２−２８２３６
【特許文献２】特開平１１−５７００２
【特許文献３】特開２００２−１２６０８０
【発明の概要】
【発明が解決しようとする課題】
【０００８】
ところで、上記した特許文献２、３に記載された穿刺具において、内針が内針の内部通路にある状態では、針止部材の復元力（弾性力）によって、前記針止部材は内針の外周面に圧接している。そして、引抜き操作により、内針が針止部材の配置位置を通過すると、針止部材の復元力（弾性力）によって、前記針止部材は内部通路内に拡がり、内部通路を閉塞するように構成されている。
このように、前記針止部材が内針の外周面に圧接しているため、使用者（術者）の外針からの内針引抜き操作の際、針止部材の復元力（弾性力）が摺動抵抗となり、内針の引抜き操作を容易に行うことができないという課題があった。
一方、針止部材の復元力（弾性力）を小さくし、内針の引抜き操作の際の摺動抵抗を小さくすると、針止部材が内部通路全体に拡開せず、内部通路を完全に閉塞できないために、内針が外部に突出する虞があった。
【０００９】
また、針止部材は、ポリエチレン等の合成樹脂あるいはステンレス鋼等の金属材料で形成される。この針止部材を、ステンレス鋼等の金属材料で形成した場合には、コストが嵩み好ましいものではなかった。
一方、針止部材を、ポリエチレン等の合成樹脂で形成した場合には、コスト的には好ましいが、内針の引抜き操作の際、内部通路を十分に閉塞できず、内針が外部に突出する虞があった。即ち、針止部材が内針の外周面に圧接している状態（外針からの内針の引抜き操作が行われる前）にあっては、針止部材は変形状態にある。そのため、穿刺具が長期間保管されていた等、未使用の期間が長い場合には、前記針止部材が塑性変形し、内針引抜き操作の際、針止部材が十分に拡開せず、内部通路を閉塞できず、内針が外部に突出する虞があった。
【００１０】
本発明者は、上記課題を解決するため、内針の引抜き操作の際の摺動抵抗を極力小さくすると共に、コスト的に安価に製作でき、更には、長期間未使用の状態が続いても、内針が内針の引抜き操作によって内針ハブに収容された後は、内針の外部への突出を防止することができる穿刺具を鋭意研究し、本発明を完成するに至った。
【００１１】
本発明は、上記技術的課題を解決するためになされたものであり、内針の引抜き操作によって、内針を内針ハブ等に収容することができ、さらに針止部材の復元力を用いることなく、内針が挿通する貫通孔を遮断し、内針の外部への突出を防止できる穿刺具を提供することを目的とする。
【課題を解決するための手段】
【００１２】
上記技術的課題を解決するためになされた本発明にかかる穿刺具は、外針と、前記外針の基端部を保持する外針ハブと、前記外針に先端部が挿入される内針と、前記内針の基端部を保持する筒状の注射具とを具備し、前記注射具は、前記内針の基端部を保持する内針ハブと、前記外針ハブを把持する把持手段を有すると共に、前記内針ハブの内部に進退自在に取付けられた筒状体と具備し、前記筒状体は、前記内針ハブの内部に進退自在に取り付けられる外筒と、前記外筒の内部に進退自在に取付けられた、内針が挿通する貫通孔を有する内筒とを備え、更に、前記内筒及び前記外筒は、前記貫通孔の連通状態を遮断する貫通孔遮断手段を備え、前記貫通孔遮断手段は、内筒に形成された針止部と、前記針止部の外面を押圧する外筒に形成された押圧部とからなり、前記内針が前記針止部を通過して引き抜かれると共に、前記押圧部が前記針止部の外面を押圧することによって、前記針止部が貫通孔の連通状態を遮断し、内針が挿通しない状態になすことを特徴としている。
【００１３】
このように、本発明にあっては、内筒に形成された針止部の外面を、外筒に形成された押圧部が押圧することによって、前記針止部が貫通孔の連通状態を遮断し、内針が挿通しない状態になすことに特徴がある。
即ち、従来の針止部材のように復元力を用いて、貫通孔を閉塞するものでないため、穿刺具が長期間保管されていた等、未使用の期間が長い場合においても、塑性変形等を起こすこともなく、前記内筒の貫通孔の連通状態を確実に遮断することができる。
また、従来の針止部材のように内針に圧接させる必要がないため、内針の引抜き操作の際の摺動抵抗を小さくすることができ、引抜き操作を容易に行うことができる。
【００１４】
ここで、前記針止部は、前記内筒の軸部に一端部が連結された基体部と、前記基体部の先端部から突出して形成された閉塞部とを備え、前記内筒の軸部に形成された孔部内を回動可能に設けられ、前記閉塞部は、前記基体部に前記押圧部からの力が加わらない状態では貫通孔内に突出しない位置にあり、基体部に押圧部から力が加わると、内筒の軸部内方向に回動し、前記閉塞部が貫通孔内に突出して、前記貫通孔を閉塞することが望ましい。
【００１５】
また、前記針止部は、前記内筒の軸部に一端部が連結された基体部と、前記基体部の先端部から突出して形成され、後面部にテーパ面が形成された閉塞部を備え、前記内筒の軸部に形成された孔部内に回動可能に設けられ、前記基体部に押圧部からの力が加わらない状態において、前記閉塞部は貫通孔内に突出し、前記貫通孔を閉塞した状態にあり、前記閉塞部の後面部に形成されたテーパ面から内針が挿入されることにより、前記閉塞部は拡開し、更に、前記内針が前記針止部を通過して引き抜かれ、前記基体部に押圧部から力が加わると、前記貫通孔を閉塞することが望ましい。
【００１６】
更に、内針の挿通が遮断されると同時に内筒の把持手段が解除され、外針ハブが開放されることが望ましい。
【発明の効果】
【００１７】
本発明によれば、内針の引抜き操作によって、内針を内針ハブ等に収容することができ、さらに針止部材の復元力を用いることなく、内針が挿通する貫通孔を遮断し、内針の外部への突出を防止できる穿刺具を得ることができる。
【図面の簡単な説明】
【００１８】
【図１】図１は、本発明の一実施形態にかかる穿刺具の外観を示す斜視図である。
【図２】図２は、図１における穿刺具のプロテクタを取り外した状態を示す斜視図である。
【図３】図３は、図１にかかる穿刺具のプロテクタを除く、分解斜視図である。
【図４】図４は、本発明の一実施形態の穿刺具を示す縦断面図であって、（ａ）は縦断面図、（ｂ）は（ａ）の縦断面図と９０度方向の異なる縦断面図である。
【図５】図５は、図４に示した外筒を示す図であって、（ａ）は斜視図、（ｂ）は縦断面図、（ｃ）は（ｂ）の縦断面図と９０度方向の異なる縦断面図である。
【図６】図６は、図４に示した内筒を示す斜視図である。
【図７】図７は、図６に示した内筒を展開した状態を示す図であって、（ａ）は平面図、（ｂ）は（ａ）のＡ−Ａ断面図、（ｃ）は（ａ）の背面図である。
【図８】図８は、図４に示された穿刺具を使用する手順を説明するための内針ハブの伸長が終了した状態を示す図であって、（ａ）は縦断面図、（ｂ）は（ａ）の縦断面図と９０度方向の異なる縦断面図である。
【図９】図９は、図４に示された穿刺具を使用する手順を説明するための外針が解放（解除）された状態を示す図であって、（ａ）は縦断面図、（ｂ）は（ａ）の縦断面図と９０度方向の異なる縦断面図である。
【図１０】図１０は、図４に示した内筒の変形例を示す断面図である。
【発明を実施するための形態】
【００１９】
以下、本発明の第１の実施形態にかかる穿刺具について、図１乃至図９に基づいて説明する。
穿刺具１は、図１および図２に示すように、外針２１と、前記外針２１に先端部（紙面左端部）が挿入される内針３と、前記内針３の一端部（基端部）を保持する筒状の注射具４と、前記外針２１および前記内針３を覆うプロテクタ５とを備えている。また、前記穿刺具１において、前記内針３を除く全ての部品は樹脂製である。尚、図１では、前記外針２１および前記内針３は、前記プロテクタ５に覆われて見ることができない。
また、前記カテーテル２は、図２、３に示すように可撓性を有する中空の管からなる外針２１と、外針２１の基端部を保持する外針ハブ２２とを有する。
【００２０】
前記注射具４は、図２〜図４に示すように、筒状の内針ハブ４１と、前記内針ハブ４１の基端（紙面右端）に圧入によって取り付けられると共に、前記内針３の基端部が保持される略円筒状の針保持部４２ａを有する尾栓４２とを備えている。
【００２１】
また、前記注射具４は、前記内針ハブ４１の内部に進退自在に取り付けられた外筒６と、前記外針ハブ２２を把持する４つのアーム７１Ａを有し、前記外筒６の内部に進退自在に取付けられた内筒７とを備えている。
尚、本実施形態では、前記内筒７に、前記４つのアーム７１Ａが形成された場合を示しているが、２つ以上のアームで外針ハブ２２を保持できれば良い。
【００２２】
前記外筒６は、図５に示すように、前記外筒６の軸部６４の軸線に沿って形成された（内筒７の進退方向に沿って形成された）溝部６１と、前記４つのアーム７１Ａを収容するアーム開閉部６２とを備え、全体として筒状に形成されている。
尚、前記４つのアーム７１Ａは、前記アーム開閉部６２の内面の両側部に形成されたガイド溝部６２Ａに、案内されながら進退可能に形成されている。
【００２３】
前記溝部６１は、図４（ａ）、図５（ｃ）に示すように、前記外筒６の周面における上部および下部の２箇所に対称となるように形成されている。
また、前記アーム開閉部６２は、図４に示すように、前記外筒６に前記内筒７が収容されている場合には、前記４つのアーム７１Ａは閉じられ前記外針ハブ２２を把持する。
一方、前記外筒６から前記内筒７が引抜かれた（進出した）場合には、図９に示すように、ガイド溝部６２Ａ（アーム開閉部６２）による規制がなくなるため、アーム７１Ａ自体の弾発力により、前記４つのアーム７１Ａは開き、前記外針ハブ２２を解放する。
【００２４】
このように、前記４つのアーム７１Ａと、前記アーム開閉部６２とによって、前記外針ハブ２２を把持する把持手段が構成され、前記４つのアーム７１Ａがアーム開閉部６２内に後退している状態にあっては、図４に示すように、外針ハブ２２を把持する状態となり、前記４つのアーム７１Ａがアーム開閉部６２から進出している状態にあっては、図９に示すように、外針ハブ２２を解放する状態となる。
【００２５】
また、前記外筒６の軸部６４の一端部は、アーム開閉部６２の内部まで延設され、後に述べる内筒７の針止部７２Ｂを押圧する、円筒状の押圧部６５が形成されている。
前記押圧部６５の内周面は、針止部７２Ｂの外周面（外面）に接するように形成されているため、拡開している針止部材７２Ｂは、この押圧部６５によって規制され、閉じられる。その結果、穿刺後、閉じられた針止部材７２Ｂによって、外筒６の内部に収容された内針３の飛び出しが防止される。
尚、この押圧部６５の形成位置、長さ寸法は、後述べる貫通孔７３の遮断と外針ハブ２２の解放が同時（略同時を含む）になされるように設定するのが好ましい。
【００２６】
また、前記外筒６の軸部６４の他端部（後端部）には、軸部６４の外周面から突出して形成された係止部６３が設けられている。この係止部６３は、内針ハブ４１から前記外筒６が伸長した際、内針ハブ４１から外筒６が脱落しないために設けられている。
【００２７】
前記内筒７は、図４、図６に示すように、前記４つのアーム７１Ａを備えた首部７１と、前記首部７１よりも縮径した軸部７２と、前記首部７１および前記軸部７２の中心を貫通し、前記内針３を挿通させる貫通孔７３とを有し、全体として筒状に成形されている。
尚、前記貫通孔７３の径は、内針３の径よりも僅かに大きく形成され、内針３の引抜き操作の際の摺動抵抗を小さくように構成されている。
【００２８】
前記軸部７２は、前記外筒６の軸部６４内に移動可能に収容され、また前記４つのアーム７１Ａを備えた首部７１は、前記外筒６のアーム開閉部６３内に移動可能に収容されている。そして、前記４つのアーム７１Ａは、アーム開閉部６３のガイド溝６２Ａに案内されながら移動し、アーム開閉部６３よりも前方に突出した際、アーム７１Ａ自体の復元力（弾性力）によって、アーム７１Ａは拡開するように構成されている。
【００２９】
また、前記内筒７には、前記外筒６の溝部６１内に収容され移動可能に形成された、突出部７２Ａと針止部７２Ｂとを備えている。
この針止部７２Ｂは、前記軸部７２に一端部が連結された基体部７２Ｂ１と、前記基体部７２Ｂ１の先端部から軸部７２の貫通孔７３方向に突出して形成された閉塞部７２Ｂ２とを備えている。
即ち、前記針止部７２Ｂは、内筒７の軸部７２に形成された孔部７２ａ内に設けられ、前記基体部７２Ｂ１の外面に力を受けると、基体部７２Ｂ１の一端部を中心に、前記閉塞部７２Ｂ２が軸部７２の径方向（貫通孔７３方向）に回動可能に形成されている。
【００３０】
更に、具体的に説明すれば、前記閉塞部７２Ｂ２は、針止部７２Ｂ（基体部７２Ｂ１）に外力が加わらない自然状態では、閉塞部７２Ｂ２は拡開しており、閉塞部７２Ｂ２は貫通孔７３内には、位置していない。
一方、図９に示すように、針止部７２Ｂ（基体部７２Ｂ１）に外力が加わると、孔部７２ａ内を軸部７２の径方向（貫通孔７３方向）に回動し、閉塞部７２Ｂ２が貫通孔７３内に突出し、前記貫通孔７３を閉塞するように構成されている。
【００３１】
即ち、前記針止部７２Ｂが外筒６の押圧部６５内に収容されると、前記押圧部６５は基体部７２Ｂ１の外周面に接し、前記閉塞部７２Ｂ２は前記貫通孔７３を遮断する方向に回動し、前記貫通孔７３を遮断する。
このように、前記押圧部６５によって、前記閉塞部７２Ｂ２は前記貫通孔７３を遮断する方向に回動し、前記貫通孔７３を遮断するため、例えば、穿刺具が長期間保管されていた等、未使用の期間が長い場合において、前記貫通孔７３を確実に遮断することができる。
【００３２】
また、前記閉塞部７２Ｂ２には、図４に示すように、凸部７２Ｂ２１と、凹部７２Ｂ２２が設けられている。詳しく述べれば、上側に位置する閉塞部７２Ｂ２の先端部には、凸部７２Ｂ２１が設けられ、続いて凹部７２Ｂ２２が設けられている。一方、下側に位置する閉塞部７２Ｂ２の先端部には、凹部７２Ｂ２２が設けられ、続いて凸部７２Ｂ２１が設けられている。しかも、閉塞部７２Ｂ２が貫通孔７３内に突出した際、前記凸部７２Ｂ２１は、貫通孔７３を横断するように構成されている。
【００３３】
このように構成されているため、上下に配置された一対の閉塞部７２Ｂ２が貫通孔７３内に突出した際、上側に位置する閉塞部７２Ｂ２の凸部７２Ｂ２１と、下側に位置する閉塞部７２Ｂ２の凹部７２Ｂ２２が噛合し、また上側に位置する閉塞部７２Ｂ２の凹部７２Ｂ２２と、下側に位置する閉塞部７２Ｂ２の凸部７２Ｂ２１が噛合し、前記貫通孔７３を確実に閉塞する。
しかも、上側に位置する閉塞部７２Ｂ２の先端部の凸部７２Ｂ２１が、貫通孔７３を横断し、前記貫通孔７３を閉塞する。
そのため、穿刺後、外筒６内部に収容された内針３が、貫通孔７３を挿通する際、前記上側に位置する閉塞部７２Ｂ２の先端部の凸部７２Ｂ２１に当たるため、内筒７からの内針３の飛び出しを、より確実に防止することができる。
【００３４】
また、前記突出部７２Ａは、前記溝部６１のそれぞれに対応するように、前記軸部７２の上面および下面の２箇所に対称となるように形成されている（図４参照）。そして、前記溝部６１と前記突出部７２Ａとによって、前記外筒６に対する前記内筒７の進退方向（内筒７に対する前記外筒６の進退方向）を規制している。
尚、前記内筒７を前記外筒６に対して進出させた際、前記外筒６および内筒７は互いに分離することのないように、溝部６１の端部に前記突出部７２Ａが係止されるように構成されている。
【００３５】
ここで、前記内筒７は、図７に示すように、下部７Ａ（紙面左側）と、中心線ｌを挟んで反対側に形成された上部７Ｂ（紙面右側）とを一体として形成された部品であり、前記上部７Ａおよび前記下部７Ｂを折曲げ線（中心線ｌ）を中心に折り畳むことによって形成される。
また、前記下部７Ａおよび前記上部７Ｂの中央には、前記内筒７の軸線方向に沿って断面半円状の溝部７３Ａ，７３Ｂがそれぞれ形成されている。これらの溝部７３Ａ，７３Ｂは、前記下部７Ａおよび前記上部７Ｂを折り畳むことによって、一つの貫通孔７３が形成される。
【００３６】
尚、図示しないが、前記内針ハブ４１と外筒６との間に、外筒６を延伸する中継筒を設けても良い。例えば、柔軟な合成樹脂で形成すること等により、柔軟性を付与した中継筒８を設けることにより、内針ハブ４１の引抜き動作方向が、斜め方向（内針３の延長線上ではない方向）になされ、中継筒８に曲げ力が加わった場合にも、中継筒８が座屈する等の破損を防止することができる。
【００３７】
次に、このような穿刺具１を使用する場合について説明する。
まず、図１に示す穿刺具１からプロテクタ５を外し、図２、図４に示すようにカテーテル２および内針３を露出させる。そして、前記外針２１および前記内針３を血管（患者の身体１００）に穿刺する。
【００３８】
その後、前記外針２１を留め置きするために、図４の矢印方向に、前記内針ハブ４１を軸方向に沿って前記外針２１から離間する方向に移動させる（引抜動作を行う）。この内針ハブ４１の引抜き動作により、前記注射具４は伸長する。
具体的には、前記外針２１を留置した状態において、前記内針ハブ４１を軸方向に沿って前記外針２１から離間させると、前記内針ハブ４１が軸方向に沿って移動し、前記注射具４は全体として伸長することになる。このとき、外針ハブ２２は内筒７によって保持され、内筒７と外筒６はアーム７１Ａがアーム開閉部６２の内壁に圧接しているため、一体化している。
【００３９】
したがって、内針３の後端部（基端部）を保持する内針ハブ４１を軸方向に沿って移動すると、内針３も同様に軸方向に沿って移動する。そして、外針２１内から引出されることで、引抜き出された内針３が内筒７、外筒６、内針ハブ４１内に覆われる（図８参照）。
【００４０】
そして、図８に示すように、外筒６の係止部６３が内針ハブ４１に係止された後、更に内針ハブ４１を軸方向（図中の矢印方向）に沿って移動すると、前記内針ハブ４１の移動に伴って、前記外筒６が軸方向に沿って移動する。その結果、前記内筒７の突出部７２Ａは前記溝部６１によって案内されながら、前記内筒７は外筒６から引抜き出される方向に移動する。
【００４１】
このとき、開いていた針止部７２Ｂが前記押圧部６５の内部に収容され、前記押圧部６５の内周面と接し、力を受けると貫通孔７３方向（軸部７２の径方向）へ回動し、貫通孔７３を閉塞する。これにより、前記貫通孔７３の連通状態は遮断される（図９参照）。
したがって、針止部７２Ｂによって、貫通孔７３が遮断された後は、内針ハブ４１をカテーテル２側に移動させる力が作用しても、内針３は、前記針止部７２Ｂによって移動が規制され、再び外針２１内に戻ることはない。
【００４２】
そして更に、前記内針ハブ４１を軸方向に沿って前記外針２１から離間させ、前記外筒６を移動させ、前記外筒６から前記内筒７が抜出されると、図９に示すように、前記４つのアーム７１Ａを開いて、前記４つのアーム７１Ａによる外針ハブ２２の保持状態を解放する。
即ち、前記内針ハブ４１を軸方向に沿って前記外針２１から離間させて前記注射具４を伸長させることによって、前記カテーテル２から抜出された前記内針３が前記外筒６、内針ハブ４１の内部に収容されると、前記４つのアーム７１Ａとアーム開閉部６２による外針ハブ２２の保持状態から、外針ハブ２２を解放する。
【００４３】
尚、上記説明では、貫通孔７３の遮断と外針ハブ２２の解放に時間差があるように説明したが、貫通孔７３の遮断と外針ハブ２２の解放が略同時になされることが好ましい。
【００４４】
また、前記内針ハブ４１を軸方向に沿って前記外針２１から離間させると、内筒７２の突出片７２Ａが溝部６１の端部に係止され、内筒７の外筒６からの脱落が防止される。
【００４５】
このように、前記カテーテル２（外針２１）を血管に留置しつつ、前記内針３を前記外針２１から引抜き出して前記内針ハブ４の内部に収容するとともに、前記外針ハブ２２は前記注射具４から取り外される。
そのため、前記穿刺具１は、前記内針３を前記外針２１から引抜き動作のみによって、前記内針３を前記内針ハブ４等の内部に収容することができ、しかも前記外針ハブ２２を前記内針ハブ４１等から取り外すことができる。
【００４６】
尚、上記使用方法の説明おいては、針止部７２Ｂが内針に接していない場合を例にとって説明したが、内針３の引抜き操作の際の摺動抵抗を過度に大きくしない範囲で、針止部７２Ｂが内針３に接していても良い。
【００４７】
次に、内筒７に形成された針止部の変形例について、図１０に基づいて説明する。
上記した実施形態にあっては、針止部７２Ｂは、針止部７２Ｂ（基体部７２Ｂ１）に外力が加わらない自然状態では拡開し、閉塞部７２Ｂ２が貫通孔７３内に位置していない場合について説明した。
この変形例では、針止部７２Ｂ（基体部７２Ｂ１）に外力が加わらない自然状態において、閉塞部７２Ｂ２が貫通孔７３内に位置する針止部である点に特徴がある。即ち、前記閉塞部７２Ｂ２は、針止部７２Ｂ（基体部７２Ｂ１）に外力が加わらない自然状態では、閉塞部７２Ｂ２は閉じ、閉塞部７２Ｂ２が貫通孔７３内に位置するように構成されている。
【００４８】
また、この針止部７２Ｂは、上記実施形態と同様に、前記閉塞部７２Ｂ２には、凸部７２Ｂ２１と、凹部７２Ｂ２２が設けられている。即ち、図１０に示すように、上側に位置する閉塞部７２Ｂ２の先端部には、凸部７２Ｂ２１が設けられ、続いて凹部７２Ｂ２２が設けられている。一方、下側に位置する閉塞部７２Ｂ２の先端部には、凹部７２Ｂ２２が設けられ、続いて凸部７２Ｂ２１が設けられている。
【００４９】
更に、この針止部７２Ｂにあっては、上下の一対の閉塞部７２Ｂ２に形成された凸部７２Ｂ２１の後面部（突出片７２Ａ側）に、テーパ面部７３Ｂ３が形成されている。このテーパ面部７３Ｂ３は、針止部７２Ｂの後部から前部に向かって、貫通孔７３の中心に向かうテーパ面として形成されている。そして、貫通孔７３内に収容された内針３の先端が、前記テーパ面部７３Ｂ３に当接する位置に形成されている。
【００５０】
このような針止部７２Ｂにあっては、針止部７２Ｂが溝部６１に位置する場合には、内針３を内筒７の後方から貫通孔に挿入すると、内針３が上側の針止部７２Ｂのテーパ面部７２Ｂ３に接し、針止部７２Ｂを拡開する。
一方、針止部７２Ｂが押圧部に位置する場合には、針止部７２Ｂの外面が押圧部６５によって、閉塞部７２Ｂ２の拡開が規制されるため、閉塞部７２Ｂ２は貫通孔内に位置し、貫通孔を閉塞する。
その結果、内針３は、前記針止部７２Ｂによって移動が規制され、再び外針２１内に戻ることを、より確実に防止することができる。
【００５１】
このように、針止部７２Ｂ（基体部７２Ｂ１）に外力が加わらない自然状態において、閉塞部７２Ｂ２が貫通孔７３内に位置する針止部となすことによって、図７に示すような展開した状態で成形し、成形後に組み立てる必要はなく、一つの部品として一体成型することができる。
尚、この場合において、内針３の引抜き操作の際の摺動抵抗を過度に大きくしないことを考慮して、基体部の形状寸法を設定すると良い。
【符号の説明】
【００５２】
１，                穿刺具
２                  カテーテル
２１                外針
２２                外針ハブ
３                  内針
４                  注射具
５                  プロテクタ
６                  外筒（筒状体）
７                  内筒（筒状体）
７Ａ                上部
７Ｂ                  下部
４１                  内針ハブ
４２                  尾栓
６１                  溝部
６２                  アーム開閉部（把持手段）
６５                  押圧部
７１                  首部
７１Ａ                アーム（把持手段）
７２                  軸部
７２Ａ                突出部
７２Ｂ                針止部
７２Ｂ１              基体部
７２Ｂ２              閉塞部
７２Ｂ２１            凸部
７２Ｂ２２            凹部
７２Ｂ３              テーパ面
７３                  貫通孔
【図１】
2015062537.tif 000003
【図２】
2015062537.tif 000004
【図３】
2015062537.tif 000005
【図４】
2015062537.tif 000006
【図５】
2015062537.tif 000007
【図６】
2015062537.tif 000008
【図７】
2015062537.tif 000009
【図８】
2015062537.tif 000010
【図９】
2015062537.tif 000011
【図１０】
2015062537.tif 000012